(57)【要約】【課題】  アンテナの受信性能を向上させることができる計時装置およびそれを備えた腕時計を提供する。【解決手段】  合成樹脂製のケース本体２と、このケース本体２の上部にあり、時計ガラス５上面の一部まで延出した合成樹脂製の外装ケース３と、ケース本体２に埋め込まれ、時計ガラス５が嵌め込まれた際のケース本体２の変形を抑えて気密性を確保するための金属製の補強部材４と、ケース本体２の内部、かつ、補強部材４の下部に配置されたアンテナ１４と、を備え、補強部材４は、グランド電位と非導通状態でケース本体２に埋め込まれている。従って、ケース本体２内のアンテナ１４が電波を受信する際に、金属製の補強部材４がグランド電位にならないため、アンテナ１４の電波受信に対する補強部材４による影響を軽減することができる。【選択図】        図２
2015184090.tif 000002
【特許請求の範囲】
【請求項１】
合成樹脂製のケース本体と、
前記ケース本体の上部にあり、時計ガラス上面の一部まで延出した合成樹脂製の外装ケースと、
前記ケース本体に埋め込まれ、前記時計ガラスが嵌め込まれた際の前記ケース本体の変形を抑えて気密性を確保するための金属製の補強部材と、
前記ケース本体の内部、かつ、前記補強部材の下部に配置されたアンテナと、を備え、
前記補強部材は、グランド電位と非導通状態で前記ケース本体に埋め込まれていることを特徴とする計時装置。
【請求項２】
請求項１に記載の計時装置において、前記アンテナは前記補強部材から所定の範囲内に配置されていることを特徴とする計時装置。
【請求項３】
請求項１または請求項２に記載の計時装置において、
前記ケース本体に操作可能に設けられた操作部材と、
前記ケース本体の前記補強部材に対して非導通状態で前記操作部材をグランド電位に接続する接続部材と、を備え、
前記接続部材は、前記ケース本体の裏面に取り付けられた金属製の裏蓋に接続されていることを特徴とする計時装置。
【請求項４】
請求項１〜請求項３のいずれかに記載の計時装置において、前記アンテナは、前記ケースにおける４時から６時を経て８時に至る間の領域内に配置されていることを特徴とする計時装置。
【請求項５】
請求項１〜請求項４のいずれかに記載の計時装置において、前記補強部材には、逃げ部が前記アンテナの配置と対応して設けられていることを特徴とする計時装置。
【請求項６】
請求項１〜請求項５のいずれかに記載された計時装置を備えていることを特徴とする腕時計。
【発明の詳細な説明】
【技術分野】
【０００１】
この発明は、腕時計や携帯電話機、携帯情報端末などの電子機器に用いられる計時装置およびそれを備えた腕時計に関する。
【背景技術】
【０００２】
例えば、腕時計においては、特許文献１に記載れているように、合成樹脂製のケース本体に設けられた周状溝に金属製の環状部材を固定し、この環状部材の内周面に金属製のガラス固定枠体を固定し、このガラス固定枠体と環状部材との上部にカバー部材を取り付けることにより、腕時計ケースを形成した構成のものが知られている。
【先行技術文献】
【特許文献】
【０００３】
【特許文献１】特開２００１−２８９９６７号公報
【０００４】
この種の腕時計では、ケース本体が合成樹脂製で形成されているため、腕時計ケースの側壁部にスイッチ釦を取り付けた場合、このスイッチ釦から腕時計ケース内に静電気が侵入して内部回路を破損する恐れがある。これを防ぐために、スイッチ釦を金属製の環状部材と金属製のガラス固定枠体とに接触させて導通させ、この導通したガラス固定枠体を腕時計ケース内に回路基板のグランド電位に接続するように構成することが考えられている。
【発明の概要】
【発明が解決しようとする課題】
【０００５】
しかしながら、このような腕時計では、腕時計ケース内にアンテナを配置した場合、静電気によって電子回路が破壊されることを防ぐために、スイッチ釦が金属製のガラス固定枠体と導通して、金属製のガラス固定枠体がグランド電位となっているため、アンテナから放射される電界に影響を及ぼし、アンテナの利得特性が低下し、アンテナの受信性能の低下を招くという問題がある。
【０００６】
この発明が解決しようとする課題は、アンテナの受信性能を向上させることができる計時装置およびそれを備えた腕時計を提供することである。
【課題を解決するための手段】
【０００７】
この発明は、合成樹脂製のケース本体と、前記ケース本体の上部にあり、時計ガラス上面の一部まで延出した合成樹脂製の外装ケースと、前記ケース本体に埋め込まれ、前記時計ガラスが嵌め込まれた際の前記ケース本体の変形を抑えて気密性を確保するための金属製の補強部材と、前記ケース本体の内部、かつ、前記補強部材の下部に配置されたアンテナと、を備え、前記補強部材は、グランド電位と非導通状態で前記ケース本体に埋め込まれていることを特徴とする計時装置である。
【発明の効果】
【０００８】
この発明によれば、補強部材が非導通状態でケース本体に埋め込まれていることによって、アンテナから所定の範囲内（例えば２ｍｍ以内）にグランド電位の部材がなく、アンテナの放射電極から放射される電界に与える影響を軽減できるため、アンテナの利得特性の低下を軽減することができる。これにより、アンテナの受信性能を向上させることができる。
【図面の簡単な説明】
【０００９】
【図１】この発明を腕時計に適用した一実施形態を示した拡大正面図である。
【図２】図１に示された腕時計のＡ−Ａ矢視における要部の拡大断面図である。
【図３】図１に示された腕時計において、ケース本体の３時側に位置する内部を示した要部の拡大断面図である。
【図４】図３に示された腕時計における複数のスイッチ部と裏蓋とを導通させるための接続部材を示した拡大正面図である。
【図５】図２に示された腕時計ケースの補強部材を示した拡大平面図である。
【発明を実施するための形態】
【００１０】
以下、図１〜図５を参照して、この発明を指針式の腕時計に適用した一実施形態について説明する。
この腕時計は、図１および図２に示すように、腕時計ケース１を備えている。この腕時計ケース１は、硬質の合成樹脂からなるケース本体２と、このケース本体２の外周に設けられた軟質の合成樹脂からなる外装ケース３とを備えている。この場合、外装ケース３は時計ガラス５の上面の一部まで延出している。さらに、ケース本体２の上部には、図２に示すように、ステンレスなどの金属からなる補強部材４がインサート成型によって埋め込まれている。
【００１１】
この腕時計ケース１の上部開口部、つまりケース本体２の上部開口部には、図１および図２に示すように、時計ガラス５がパッキン５ａを介して取り付けられている。この腕時計ケース１の下部、つまりケース本体２の下部には、金属製の裏蓋６が防水リング６ａを介して取り付けられている。さらに、この腕時計ケース１の１２時側と６時側とに位置する外周部には、時計バンド（図示せず）が取り付けられるバンド取付部７がそれぞれ設けられている。
【００１２】
また、この腕時計ケース１の外周部には、図１に示すように、操作部材である複数のスイッチ部８が設けられている。これら複数のスイッチ部８は、複数のスイッチ釦８ａと１つの竜頭８ｂとを有している。複数のスイッチ釦８ａは、時計のモード切替などの各種の機能を選択するためのスイッチであり、腕時計ケース１の２時側、４時側、および８時側に位置する各外周部にそれぞれ設けられている。竜頭８ｂは、時刻を修正するためのスイッチであり、腕時計ケース１の３時側に位置する外周部に設けられている。
【００１３】
さらに、この腕時計ケース１の内部には、図１および図２に示すように、時計モジュール１０が設けられている。この時計モジュール１０は、その上部に配置された文字板１１と、この文字板１１の上方を運針する指針１２を駆動する時計ムーブメント（図示せず）と、腕時計全般を制御するための回路基板１３と、電波を受信するアンテナ１４と、を備えている。アンテナ１４は回路基板１３に搭載されており、アンテナ１４のグランドと回路基板１３のグランドが接続されている。
【００１４】
この場合、文字板１１は、合成樹脂製のフィルムからなり、ほぼ円形状に形成され、その周縁部上に時字（図示せず）が設けられた構成になっている。また、指針１２は、図１に示すように、秒針、分針、時針を備え、文字板１１の中心に設けられた貫通孔（図示せず）に挿入された指針軸１２ａに取り付けられ、この指針軸１２ａの回転によって文字板１１の上方を運針することにより、時刻を指示するように構成されている。
【００１５】
アンテナ１４は、図１に示すように、指針１２を駆動する時計ムーブメント（図示せず）が時計モジュール１０の中心部に設けられていることにより、これを避けるために、腕時計ケース１内における３時から６時を経て９時に至る領域内に位置し、図２に示すように、回路基板１３上に配置された状態で回路基板１３と電気的に接続されている。
【００１６】
すなわち、このアンテナ１４は、ＧＰＳ（Global  Positioning  System）用の高周波（例えば、１５７５．４２ＭＨｚ）の電波を受信するものである。このアンテナ１４は、図１に示すように、平面から見てほぼ四角形状をなし、文字板１１の中心に位置する指針軸１２ａと文字板１１の５時側の端部との間に対応する箇所の時計モジュール１０内に配置されている。
【００１７】
この場合、アンテナ１４は、図１に示すように、時計モジュール１０の中心部に設けられた時計ムーブメント（図示せず）を避けるために、例えば腕時計ケース１内の４時から６時を経て８時に至るまでの領域内における４時付近から６時付近の間に位置して、ケース本体２の内周面に接近した状態で、かつ補強部材４よりも下側に位置した状態で配置されている。
【００１８】
一方、複数のスイッチ部８のうち、複数のスイッチ釦８ａは、すべて同じ構成になっている。このため、この実施形態では、図１に示す４時側に位置するスイッチ釦８ａについて説明する。このスイッチ釦８ａは、図２に示すように、腕時計ケース１のケース本体２に設けられた貫通孔１５内にスライド可能に挿入された操作軸部１６と、この操作軸部１６の外端部に設けられた操作頭部１７と、を備えている。
【００１９】
この場合、ケース本体２の貫通孔１５は、図２に示すように、腕時計ケース１の内部側に位置する内端部が内径の小さい小径孔部１５ａに形成されている。この貫通孔１５内には、その内周面に圧接する複数の防水リング１８が設けられている。これら複数の防水リング１８は、押えリング１９によって小径孔部１５ａに押し付けられている。
【００２０】
スイッチ釦８ａの操作軸部１６は、導電性を有する金属で形成され、図２に示すように、ケース本体２の貫通孔１５における軸方向の長さよりも長い長さ、例えば貫通孔１５の長さのほぼ２倍程度の長さに形成されている。この操作軸部１６は、押えリング１９を通して複数の防水リング１８および小径孔部１５ａに挿入し、この状態で操作軸部１６の外周面が複数の防水リング１８の各内周面に摺動可能に圧接するように構成されている。
【００２１】
これにより、操作軸部１６は、図２に示すように、防水性を確保した状態で、ケース本体２の貫通孔１５内において、その軸方向に沿ってスライドするように構成されている。この場合、操作軸部１６は、腕時計ケース１の内部側に位置する内端部が腕時計ケース１の内部に突出し、この突出した部分に溝部１６ａが環状に設けられ、この溝部１６ａにＥリングなどの抜止め部材２０が取り付けられている。
【００２２】
この抜止め部材２０は、導電性を有する金属で形成され、図２に示すように、その外形が貫通孔１５の小径孔部１５ａよりも大きく形成され、この小径孔部１５ａの外周縁に位置するケース本体２の内面に接離可能に当接するように構成されている。これにより、操作軸部１６は、抜止め部材２０が貫通孔１５の小径孔部１５ａの外周縁に位置するケース本体２の内面に当接することにより、腕時計ケース１の外部に抜け出さないように構成されている。
【００２３】
一方、スイッチ釦８ａの操作頭部１７は、導電性を有する金属で形成され、図２に示すように、ケース本体２の貫通孔１５の内径よりも十分に大きい外形のほぼ円筒状に形成されている。この操作頭部１７は、その内部に取付部１７ａが設けられ、この取付部１７ａが腕時計ケース１の外部に突出した操作軸部１６の外端部に取り付けられるように構成されている。
【００２４】
この場合、ケース本体２の貫通孔１５内の押えリング１９と操作頭部１７との間には、図２に示すように、コイルばね２１が設けられている。このコイルばね２１は、操作軸部１６の外周に巻き付けられ、この状態で一端部が貫通孔１５内の押えリング１９に弾接し、他端部が操作頭部１７の取付部１７ａに取り付けられた操作軸部１６の大径部１６ｂに弾接することにより、操作軸部１６を腕時計ケース１の外部に向けて付勢するように構成されている。
【００２５】
これにより、スイッチ釦８ａは、図２に示すように、コイルばね２１のばね力によって操作軸部１６が腕時計ケース１の外部に向けて押し出されることにより、抜止め部材２０がケース本体２の内面に当接する状態で、操作頭部１７が腕時計ケース１の外部に押し出されるように構成されている。
【００２６】
また、このスイッチ釦８ａは、図２に示すように、コイルばね２１のばね力に抗して操作頭部１７が腕時計ケース１の内部に向けて押し込まれると、操作軸部１６がケース本体２の内部に向けてケース本体２の貫通孔１５内をスライドし、抜止め部材２０がケース本体２の内面から離れて、操作軸部１６の内端部がケース本体２内に突出することにより、スイッチ動作するように構成されている。
【００２７】
さらに、このスイッチ釦８ａは、図２および図３に示すように、接続部材２２によってケース本体２の補強部材４に対して非導通状態で、裏蓋６と導通して電気的に接続されている。すなわち、この接続部材２２は、導電性を有する金属製の端子板である。この接続部材２２の中心部には、図３および図４に示すように、操作軸部１６が非接触状態で挿入する挿入孔２２ａが、スイッチ釦８ａの操作軸部１６の外形よりも大きい内径で設けられている。
【００２８】
また、この接続部材２２の一端部である下端部には、図２〜図４に示すように、接触子２２ｂが屈曲可能に延出されている。この接続部材２２は、ケース本体２の内面に接着材または固定フック（いずれも図示せず）によって固定されている。これにより、接続部材２２は、操作軸部１６の内端部が挿入孔２２ａに非接触状態で挿入し、この挿入した操作軸部１６の内端部に抜止め部材２０が取り付けられることにより、この抜止め部材２０とケース本体２の内面との間に配置されている。
【００２９】
この場合、接続部材２２は、図２および図３に示すように、ケース本体２の内面に固定された状態で、挿入孔２２ａに操作軸部１６が挿入することにより、ケース本体２の補強部材４に接触することがなく、接触子２２ｂが裏蓋６によって折り曲げられて裏蓋６の内面に弾接して導通するように構成されている。これにより、接続部材２２は、ケース本体２の補強部材４に非接触状態で、操作軸部１６と裏蓋６とを導通させるように構成されている。
【００３０】
すなわち、この接続部材２２は、図２および図３に示すように、操作軸部１６に取り付けられた抜止め部材２０に接離可能に接触した際に、この接触した抜止め部材２０を介して操作軸部１６と導通することにより、操作軸部１６と裏蓋６とを導通させて電気的に接続するように構成されている。
【００３１】
このため、接続部材２２は、図２および図３に示すように、スイッチ釦８ａの操作頭部１７がコイルばね２１のばね力に抗して押し込まれた際に、操作軸部１６のスライド動作に伴って抜止め部材２０が接続部材２２から離れることにより、操作軸部１６との導通が断たれ、操作軸部１６と裏蓋６との接続が解除されるように構成されている。
【００３２】
一方、スイッチ部８の竜頭８ｂは、図１および図３に示すように、金属製の巻真２３を備えた構成であり、これ以外はスイッチ釦８ａとほぼ同じ構成になっている。すなわち、この竜頭８ｂは、スイッチ釦８ａと同様、操作軸部１６と操作頭部１７とを備え、操作軸部１６に巻真２３がスライド可能でかつ操作軸部１６と共に回転するように取り付けられ、この状態で巻真２３が時計ムーブメント（図示せず）に連結された構成になっている。
【００３３】
これにより、竜頭８ｂは、図１および図３に示すように、操作頭部１７を引き出すと、これに伴って操作軸部１６が巻真２３をスライドさせて時計ムーブメントを時刻修正状態にし、この状態で操作頭部１７を回転させると、これに伴って操作軸部１６が巻真２３を回転させ、この巻真２３の回転に応じて指針軸２０ａが回転して指針１２の時刻を修正するように構成されている。
【００３４】
この場合にも、竜頭８ｂの操作軸部１６は、スイッチ釦８ａと同様、その内端部に抜止め部材２０が取り付けられ、この抜止め部材２０とケース本体２の内面との間に接続部材２２が配置され、この状態で図３に示すように、接続部材２２がケース本体２の補強部材４に対して非導通状態で、操作軸部１６と裏蓋６とを導通させて接続するように構成されている。
【００３５】
ところで、ケース本体２の補強部材４は、図２に示すように、ケース本体２を補強するためのものであり、時計ガラス５の外周に対応するケース本体２の上部に埋め込まれ、アンテナ１４よりも上方に位置することにより、アンテナ１４のグランド電位に対して電気的にフローティング状態で配置されるように構成されている。
【００３６】
さらに、補強部材４から所定の範囲内（例えば、２ｍｍ以内）にアンテナ１４の電極又は誘電体（図示せず）を配置するように構成することで、補強部材４のアンテナ１４から放射される電界に与える影響を軽減できるため、アンテナの利得特性の低下を軽減することができ、アンテナ受信性能を向上することができる。
【００３７】
すなわち、この補強部材４は、図２および図５に示すように、リング状の起立部４ａとリング状の水平部４ｂとを有し、断面形状がＬ字形状に形成されている。この補強部材４は、水平部４ｂの内周端がケース本体２の内面から突出した状態で、インサート成型によってアンテナ１４よりも上方に位置するケース本体２の上部に埋め込まれている。
【００３８】
これにより、補強部材４は、図２に示すように、ケース本体２の上部開口部に時計ガラス５が嵌め込まれた際に、ケース本体２の変形を抑えて気密性を確保するように構成されている。この場合、補強部材４の水平部４ｂには、図５に示すように、複数の切欠き部４ｃが設けられていると共に、逃げ部２４がアンテナ１４の配置に対応して設けられている。
【００３９】
この逃げ部２４は、図１および図５に示すように、補強部材４の水平部４ｂにおける４時付近から６時付近の間に位置する個所を切り欠くことによって形成されている。これにより、逃げ部２４は、アンテナ１４が電波を受信する際に、アンテナ１４から補強部材４をさらに離すことができ、アンテナ１４の電波受信に対する金属製の補強部材４による影響を軽減するように構成されている。
【００４０】
次に、この腕時計の作用について説明する。
この腕時計を腕に取り付けて使用する際には、腕時計ケース１の６時側に位置するバンド取付部７が人体側に位置し、腕時計ケース１の１２時側に位置するバンド取付部７が人体と反対側に位置し、この１２時側に位置する腕時計ケース１が人体から離れて開放される。この状態では、指針１２が文字板１１の上方を運針して時刻を指示表示することにより、現在時刻を良好に視認することができる。
【００４１】
また、この状態で、アンテナ１４がＧＰＳ用の高周波の電波を受信する際には、腕時計ケース１の６時側が人体側に位置し、１２時側が人体と反対側に位置して、この腕時計ケース１の１２時側が人体から離れて開放されていることにより、この人体から開放された腕時計ケース１の１２時側からＧＰＳ用の電波を取り込んで、腕時計ケース１内のアンテナ１４で受信することができる。
【００４２】
この場合、ケース本体２が合成樹脂で形成され、このケース本体２に金属製の補強部材４が埋め込まれているが、ＧＰＳ用の電波を腕時計ケース１の１２時側から取り込むので、アンテナ１４が電波を受信する際に、アンテナ１４の１２時側から到来する電波の受信に対する補強部材４による影響が軽減され、電波を受信する際のアンテナ１４の利得特性の低下が軽減され、アンテナ１４の受信性能が向上する。
【００４３】
また、このときには、補強部材４に逃げ部２４がアンテナ１４に対応して設けられていることにより、アンテナ１４が電波を受信する際に、アンテナ１４から補強部材４をさらに離すことができ、アンテナ１４の電波受信に対する補強部材４による影響が逃げ部２４によっても軽減されるので、これによっても電波を受信する際のアンテナ１４の利得特性の低下が軽減され、アンテナ１４の受信性能が向上する。
【００４４】
ところで、複数のスイッチ釦８ａをスイッチ操作する際には、スイッチ釦８ａの操作頭部１７を指で押す。このときには、予め、操作軸部１６がコイルばね２１のばね力によって腕時計ケース１の外部に向けて押し出され、この操作軸部１６に取り付けられた導電性を有する金属製の抜止め部材２０が接続部材２２に接触して導通している。
【００４５】
この状態で、導電性を有する金属製の操作頭部１７に指が近づくと、操作頭部１７と指との間に静電気が発生し、この静電気が操作頭部１７から操作軸部１６および抜止め部材２０を介して接続部材２２に伝わり、静電気を裏蓋６に逃がしてグランド電位に落とすことができる。
【００４６】
このときには、接続部材２２に補強部材４が接触しておらず、接続部材２２と補強部材４とが非導通状態であり、接続部材２２の接触子２２ｂが裏蓋６に接触して、接続部材２２と裏蓋６とが導通している。このため、接続部材２２に伝わった静電気は、補強部材４に伝わることがなく、接続部材２２の接触子２２ｂによってグランド電位の裏蓋６に送られる。これにより、静電気によって時計モジュール１０内の電子回路が破壊されることがない。
【００４７】
この場合、補強部材４は、接続部材２２によってグランド電位になることがない。このため、補強部材４から所定の範囲内（例えば、２ｍｍ以内）にアンテナ１４の電極又は誘電体（図示せず）を配置しても、補強部材４のアンテナ１４から放射される電界に与える影響を軽減できるため、アンテナ１４が電波を受信する際に、アンテナ１４の電波受信に対する補強部材４の影響を防いで、アンテナ１４の利得特性を良くし、アンテナ１４の受信性能を向上させる。
【００４８】
このことは、スイッチ部８の竜頭８ｂを操作する際にも、スイッチ釦８ａと同様、静電気の侵入によって時計モジュール１０内の電子回路が破壊されるのを防ぐことができる。
【００４９】
また、スイッチ部８のスイッチ釦８ａおよび竜頭８ｂの操作頭部１７がコイルばね２１のばね力に抗して押し込まれた際には、操作軸部１６がケース本体２の貫通孔１５内をケース本体２の内部に向けてスライドし、この操作軸部１６のスライド動作に伴って抜止め部材２０が接続部材２２から離れる。これにより、接続部材２２による操作軸部１６と裏蓋６との導通が断たれるので、良好にスイッチ操作ができる。
【００５０】
このように、この腕時計によれば、合成樹脂製のケース本体２と、このケース本体２の上部にあり、時計ガラス５上面の一部まで延出した合成樹脂製の外装ケース３と、ケース本体２に埋め込まれ、時計ガラス５が嵌め込まれた際のケース本体２の変形を抑えて気密性を確保するための金属製の補強部材４と、ケース本体２の内部、かつ、補強部材４の下部に配置されたアンテナ１４と、を備え、補強部材４は、グランド電位と非導通状態でケース本体２に埋め込まれていることにより、アンテナの受信性能を向上させることができる。
【００５１】
すなわち、この腕時計では、補強部材４が合成樹脂製のケース本体２に覆われ、このケース本体２の上部に時計ガラス５の上面の一部まで延出した合成樹脂製の外装ケース３があることにより、補強部材４と静電気を発生させる原因となる物体（例えば指）との絶縁距離を十分にとることができるため、静電気の影響を無くすことができる。
【００５２】
また、この腕時計では、操作部材であるスイッチ部８に発生した静電気を接続部材２２によって、グランド電位に逃すことができる。これにより、ケース本体２内の静電気による電子回路の破壊を防ぐことができると共に、アンテナ１４から所定の範囲内にある金属製の補強部材４がグランド電位にならないため、これによりアンテナ１４の利得特性の低下が軽減され、アンテナ１４の受信性能を向上させることができる。
【００５３】
この場合、合成樹脂製のケース本体２には、金属製の補強部材４が埋め込まれていることにより、この補強部材４によってケース本体２の強度を高めることができる。このため、ケース本体２に時計ガラス５を嵌め込んで取り付けた際に、ケース本体２が合成樹脂で形成されていても、補強部材４によってケース本体２の変形を防ぐことができ、これにより気密性を確保することができ、高気圧防水を図ることができる。
【００５４】
また、この腕時計では、接続部材２２がケース本体２の裏面に取り付けられた金属製の裏蓋６に接続されていることにより、スイッチ部８を操作する際に、スイッチ部８に指が近づき、スイッチ部８と指との間に静電気が発生しても、この静電気を接続部材２２によって裏蓋６に逃してグランド電位に落とすことができる。このため、ケース本体２内の電子回路が静電気によって破壊されるのを防ぐことができる。
【００５５】
これにより、操作部材であるスイッチ部８におけるケース本体２の貫通孔１５に挿入する操作軸部１６、およびこの操作軸部１６の外端部に取り付けられて腕時計ケース１の外部に突出する操作頭部１７をそれぞれ金属で形成することができるので、スイッチ部８のデザイン性が良くなり、商品価値を高めることができる。
【００５６】
この場合、接続部材２２は、スイッチ部８の操作軸部１６に取り付けられた導電性を有する金属製の抜止め部材２０が接離可能に接触し、この抜止め部材２０を介してスイッチ部８の操作軸部１６と導通することにより、金属製の抜止め部材２０が接続部材２２に接触している状態のときに、この抜止め部材２０を介してスイッチ部８の操作軸部１６と接続部材２２とを導通させることができ、これによりスイッチ部８の操作軸部１６と裏蓋６とを確実にかつ良好に導通させることができる。
【００５７】
すなわち、スイッチ部８は、ケース本体２の貫通孔１５内に挿入された操作軸部１６を腕時計ケース１の外部向けて押し出す方向に付勢するコイルばね２１を備えていることにより、通常は、コイルばね２１のばね力によって操作軸部１６を腕時計ケース１の外部に向けて押し出すことができる。
【００５８】
これにより、操作軸部１６に取り付けられた導電性を有する金属製の抜止め部材２０を接続部材２２に接触させて導通させることができるので、不用意にスイッチ部８に静電気が発生しても、この静電気によってケース本体２内の電子回路が破壊されるのを防ぐことができる。
【００５９】
この場合、スイッチ部８の操作頭部１７がコイルばね２１のばね力に抗して押し込まれた際には、操作軸部１６がケース本体２の貫通孔１５内をケース本体２の内部に向けてスライドし、この操作軸部１６のスライド動作に伴って抜止め部材２０を接続部材２２から離すことができるので、接続部材２２による操作軸部１６と裏蓋６との導通を断つことができる。
【００６０】
また、この腕時計では、アンテナ１４がケース本体２における４時から６時を経て８時に至る間の領域内に配置されていることにより、腕時計ケース１を腕に取り付けて使用する際に、腕時計ケース１の６時側を人体側に位置させ、腕時計ケース１の１２時側が人体と反対側に位置させることができ、これにより腕時計ケース１の１２時側を人体から離して開放することができるので、１２時側から到来する電波の受信に対する金属製の補強部材４の影響を軽減して、開放された１２時側から到来する電波を取り込むことができ、腕時計ケース１内のアンテナ１４で良好に受信することができる。
【００６１】
すなわち、アンテナ１４は、ケース本体２内の４時から６時を経て８時に至る間の領域内における４時付近から６時付近の間に位置した状態で配置されているので、腕時計ケース１を左腕に取り付けて使用することにより、アンテナ１４と対向する腕時計ケース１の１１時側を人体から良好に離して開放させることができ、これにより金属製の補強部材４の影響を受けずに、開放された１１時側から電波を確実にかつ良好に取り込むことができるので、電波を腕時計ケース１内のアンテナ１４で良好に受信することができる。
【００６２】
この場合、ケース本体２に埋め込まれた金属製の補強部材４には、逃げ部２４がアンテナ１４の配置と対応して設けられていることにより、アンテナ１４が電波を受信する際に、アンテナ１４の電波受信に対する補強部材４の影響を逃げ部２４によって軽減することができ、これによっても電波を受信する際のアンテナ１４の利得特性の低下を軽減することができるので、アンテナ１４の受信性能を向上させることができる。
【００６３】
なお、上述した実施形態では、ＧＰＳ用の高周波の電波を受信するアンテナ１４を備えている場合について述べたが、アンテナは、これに限らず、例えば標準時刻電波などの電波を受信するアンテナ、携帯電話機の通信に使用するＧＳＭ（登録商標）アンテナ、工場やビルなどの建物内での通信に使用する無線ＬＡＮアンテナ、近距離通信に使用するブルーツゥス（Ｂｌｕｅｔｏｏｔｈ（登録商標））アンテナなどであっても良く、またこれら複数のアンテナを組み合わせて設けても良い。
【００６４】
また、上述した実施形態では、接続部材２２は、ケース本体２の補強部材４に非接触状態で、操作軸部１６と裏蓋６とを導通させる構成としたが、これ以外に、ケース本体２における４時から６時を経て８時に至る間の領域内に配置されたアンテナ１４の配置に対応した位置にある接続部材２２を、ケース本体２の補強部材４に非接触状態で、操作軸部１６と裏蓋６とを導通させるように構成することが考えられる。
【００６５】
また、上述した実施形態では、接続部材２２は、ケース本体２の補強部材４に対して非導通状態でスイッチ部８をグランド電位に接続する構成としたが、ケース本体２における４時から６時を経て８時に至る間の領域内に配置されたアンテナ１４の配置に対応した位置にある接続部材２２をケース本体２の補強部材４に対して非導通状態でスイッチ部８をグランド電位に接続するように構成することが考えられる。
【００６６】
しかし、これらの構成は、全ての接続部材２２と補強部材４を接触状態にする場合に比べて、アンテナ１４の放射電界に与える影響は軽減されるが、上述した実施形態の構成を適用する方が、良好なアンテナの利得特性を得ることができる。
【００６７】
また、上述した実施形態では、操作部材であるスイッチ部８の操作軸部１６に金属製の抜止め部材２０を設け、この抜止め部材２０が接続部材２２に接離可能に接触することにより、接続部材２２によって操作軸部１６と裏蓋６とを導通させるように構成した場合について述べたが、これに限らず、例えば接続部材２２を操作軸部１６に直接接触させて導通させることにより、接続部材２２によって操作軸部１６と裏蓋６とを導通させるように構成しても良い。
【００６８】
また、上述した実施形態では、抜止め部材２０が金属製のＥリングである場合について述べたが、必ずしもＥリングである必要はなく、導電性を有する金属製の割ピンや、導電性を有する金属製のピン部材などあっても良い。
【００６９】
また、上述した実施形態では、ケース本体２に埋め込まれた補強部材４の水平部４ｂに逃げ部２４をアンテナ１４に対応させて切り欠いて形成した場合について述べたが、これに限らず、逃げ部は、アンテナ１４に対応する個所の補強部材４を切断して切り取った構成であっても良い。
【００７０】
さらに、上述した実施形態では、指針式の腕時計に適用した場合について述べたが、必ずしも腕時計である必要はなく、例えばトラベルウオッチ、目覚まし時計、置き時計、掛け時計などの各種の時計に適用することができるほか、必ずしも時計である必要はなく、携帯電話機や携帯情報端末機などの電子機器にも適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、合成樹脂製のケース本体と、前記ケース本体の上部にあり、時計ガラス上面の一部まで延出した合成樹脂製の外装ケースと、前記ケース本体に埋め込まれ、前記時計ガラスが嵌め込まれた際の前記ケース本体の変形を抑えて気密性を確保するための金属製の補強部材と、前記ケース本体の内部、かつ、前記補強部材の下部に配置されたアンテナと、を備え、前記補強部材は、グランド電位と非導通状態で前記ケース本体に埋め込まれていることを特徴とする計時装置である。
【００７３】
請求項２に記載の発明は、請求項１に記載の計時装置において、前記アンテナは前記補強部材から所定の範囲内に配置されていることを特徴とする計時装置である。
【００７４】
請求項３に記載の発明は、請求項１または請求項２に記載の計時装置において、
前記ケース本体に操作可能に設けられた操作部材と、
前記ケース本体の前記補強部材に対して非導通状態で前記操作部材をグランド電位に接続する接続部材と、を備え、
前記接続部材は、前記ケース本体の裏面に取り付けられた金属製の裏蓋に接続されていることを特徴とする計時装置である。
【００７５】
請求項４に記載の発明は、請求項１〜請求項３のいずれかに記載の計時装置において、前記アンテナは、前記ケースにおける４時から６時を経て８時に至る間の領域内に配置されていることを特徴とする計時装置である。
【００７６】
請求項５に記載の発明は、請求項１〜請求項４のいずれかに記載の計時装置において、前記補強部材には、逃げ部が前記アンテナの配置と対応して設けられていることを特徴とする計時装置である。
【００７７】
請求項６に記載の発明は、請求項１〜請求項５のいずれかに記載された計時装置を備えていることを特徴とする腕時計である。
【符号の説明】
【００７８】
１  腕時計ケース
２  ケース本体
３  外装ケース
４  補強部材
５  時計ガラス
６  裏蓋
７  バンド取付部
８  スイッチ部
８ａ  スイッチ釦
８ｂ  竜頭
１０  時計モジュール
１１  文字板
１２  指針
１３  回路基板
１４  アンテナ
１５  貫通孔
１６  操作軸部
１７  操作頭部
２０  抜止め部材
２１  コイルばね
２２  接続部材
２２ｂ  接触子
２４  逃げ部
【図１】
2015184090.tif 000003
【図２】
2015184090.tif 000004
【図３】
2015184090.tif 000005
【図４】
2015184090.tif 000006
【図５】
2015184090.tif 000007